(57)【要約】      （修正有）【課題】食品用具のテーブマット、及び装飾用板の平板に、片面においては連続均一表面状態になっている異種の装飾性模様の絵柄を適用して木製平板の表面部材には精巧なＵＶ印刷を施した平滑平板盤を提供する。【解決手段】木製平板に装飾された平滑平板盤において、針葉樹林であるエゾマツ材、モミ材、ヒノキ材、スギ材、マツ材、から選ばれた厚さ１〜３０ｍｍの木製の特性ある木目３を持つ平板２を縦横１００〜５００ｍｍの長方形、正方形、半月形にして、前記平板の片面に、ＵＶ印刷された日本古来の絵柄４、又は祝い様相の精巧で、緻密な絵柄、或は図柄４、或いはプリント写真、或は文体を施しているＵＶ印刷を施した精巧な模様表面を持つ木製平滑平板盤である。【選択図】図１
0003209865.tif 000002
【実用新案登録請求の範囲】
【請求項１】
木製平板に装飾された平滑平板盤において、針葉樹林であるエゾマツ材、モミ材、ヒノキ材、スギ材、マツ材、から選ばれた厚さ１〜３０ｍｍの木製の特性ある木目を持つ平板を縦横１００〜５００ｍｍの長方形、正方形、半月形にして、前記平板の片面に、ＵＶ印刷された日本古来の絵柄、又は祝い様相の精巧で、緻密な絵柄、或は図柄、或いはプリント写真、或は文体を施していることを特徴とするＵＶ印刷を施した精巧な模様表面を持つ木製平滑平板盤。
【請求項２】
装飾性木製平滑平板盤は、厚さ１〜３０ｍｍの木製平板を幅１００〜５００ｍｍ、長さ１００〜５００ｍｍの平板状の、長方形、又は正方形、又は半月形である半円形、或いは台形から選ばれた形状であって、前記木目を有する形状の平板片面の２０〜１００％の面積に所望される緻密なＵＶ印刷された絵柄、図柄を施しされていることを特徴とする請求項１に記載のＵＶ印刷を施した精巧な模様表面を持つ木製平滑平板盤。
【請求項３】
２０〜１００％の面積にＵＶ印刷を施した平板片面に対して、ＵＶ印刷された日本古来の絵柄、又は祝い様相の精巧で、緻密な絵柄、或は図柄、或いはプリント写真、或は文体を描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄  から選ばれた１種、又は２種以上の絵柄・図柄、及び写真を表面に施されていることを特徴とする請求項１、又は請求項２に記載のＵＶ印刷を施した精巧な模様表面を持つ木製平滑平板盤。
【請求項４】
木製平板に装飾された平滑平板盤は、食卓用具としてのテーブルマット、及び壁掛け並びに記念品用、贈答用装飾板であることを特徴とする請求項１〜請求項３のいずれかに記載のＵＶ印刷を施した精巧な模様表面を持つ木製平滑平板盤。
【考案の詳細な説明】
【技術分野】
【０００１】本考案は、装飾性木製平滑平板盤として平板を使用した食事用テーブルマット、又は装飾用平板に関し、片面にＵＶ印刷を施した精巧・緻密な特殊模様の絵柄を施した表面を持つ木製平滑平板盤に関するものである。
【背景技術】
【０００２】従来、箸袋とテーブルマットの食事用具は、紙製、樹脂製、布製が一般であって、木製のものは少ない。また箸袋としては、例えば、略二等辺三角形状の布地と、前記布地の裏面底辺側に設けられた箸留部材と、前記布地の頂部近傍に設けられた結束部材とを備え、前記箸留部材に箸を差し込み、前記布地の底辺側の二隅を内側に折り曲げ、次いで、前記布地の底辺側から頂部側に向かって箸を巻き込み、然る後、前記結束部材によって止着されている（例えば、特許文献１参照）。【０００３】近年の技術革新及び流通機構の発展に伴い、容体や蓋体の立体的形状に独創的なデザインが施された紙箱も流通市場に登場している。しかし、紙箱は、その用途がそもそも商品の包装資材であることから、その保管容易性や輸送適応性が重要視される。このため、未だ多くの紙箱には、六面体や円柱体などのように積み上げ易くかつ嵩張らない一般的な立体的形状が採用されており、紙箱のデザインにおいては、現在もなお模様や色彩などの平面的装飾が極めて重要なデザイン要素であると言える。【０００４】天板の切断部及び側面板との境目がなくなり新しい感性、ファッション性のある高級感を付与した複合素材包装用木箱で、側面板の上部内側を丸鋸刃でＬ型に切り欠きして上部内側切り欠き部を設け、側面板内側に丸鋸刃でＵ溝を切り欠きし、そこに中敷チップボールを差し込み、枠組み接着したのち、天板を落とし込み接着固定する木製箱が提案されている（特許文献２参照）。【０００５】食用容器として、容体又は蓋本体の外面に凹設される凹所と、その凹所に嵌合可能な形状であって前記容体及び蓋本体とは別体の１枚の印刷用シートを用いて形成され、その印刷用シートの一面であって、印刷の施される化粧面を有した化粧板とを備えている箱が提案されている（特許文献３参照）。【０００６】木製で製作されたテーブルマット、及び装飾用木板で、片面の平板にＵＶ印刷を施した表面に絵柄、図柄を描いた木製のテーブルマット、及び装飾板で、存在しておらず、とくに耐久性のある精巧なＵＶ印刷を施した表面の平板の食卓用具、装飾板は存在していない。この木製平滑平板盤は木の香りとその殺菌性で衛生的な装飾性テーブルマットである平板木製の食卓用品、および壁掛け並びに記念品用、贈答用装飾板は存在していない。また汚れも目立たないものも見当たらない。
【先行技術文献】
【特許文献】
【０００７】
【特許文献１】実用新案登録第３０６０３１５号公報
【特許文献２】特開２００３−２６１６３号公報
【特許文献３】実用新案登録第３１６０８３４号
【考案の概要】
【考案が解決しようとする課題】
【０００８】木製テーブルマットの食卓用品、及び壁掛け用、記念品用、贈答用装飾板にあっては、紙製、樹脂製、布製であって、それ自身抗菌性もなく、また、箸についた汁や汚れが（布地に染み込むため）飛び散らせることなく、携帯することができるといった利点を有するものの、木製平滑平板盤の本体に汚れが付着し易いといった問題があり、衛生的見地からしても好ましいものではなかった。ＵＶ印刷をした木製の平板のものは存在していなく、期待が高い。【０００９】木製のテーブルマットなどの木製平滑平板盤の平板表面に、デザインの異なる多種類の絵柄入り装飾性木製平滑平板盤を少量生産した場合、一デザイン当たりの平板の生産数量が減少することから、製造コストが高くなってしまう。このため、同一デザインの絵柄入り装飾性重箱体を大量生産する場合に比べて、自ずと箱体の１個当たりの製造コストが高くなり、また木目を持つ表面に精巧なＵＶ印刷を施した絵柄におけるデザインの多種類の絵柄入り装飾性木製平滑平板盤は製造されていない。またそのような装飾の木製のテーブルマット、及び装飾板などの木製平滑平板盤においては、顧客に対して低廉な価格で提供できないという問題点があった。【００１０】  また、顧客がデザインの多種類の特殊の木製食卓用具のテーブルマット、及び装飾板などの装飾性木製平滑平板盤を要望する場合、一部の特殊デザインの商品の売れ行きが伸びるが、別の商品の販売数量が当初の見込みを大幅に越えるような状況が生じなく、特殊商品毎に装飾性木製平滑平板盤のデザインを異ならせれば、当該一部の商品における絵柄・図柄付き木製食事用具が生産不足で、在庫不足となるため発注しなければならず、更に製造経費が嵩んでしまうという問題点もある。【００１１】木製テーブルマットなどの装飾性木製平滑平板盤の平板の素材として杉材、檜材、ヒバ材、エゾマツ材、モミ材、ヒノキ材、マツ材であって、その表面に刻印されたものでもあったり、厚紙、樹脂に絵柄を印刷されることにより製出された平板の食卓用具は、安っぽくて気品が無く低級さを感受するものであった。また特殊な材質の木製平滑平板盤は、剛性と高級感が出現するが、高価となり、昨今の風潮に合致せず逆行するものとなる。【００１２】本考案はこのような従来の問題点に鑑みてなされたもので、料理を置いて飲食する場合に、木製テーブルマットなどの木製平滑平板盤に汚れが付着しにくく、また、木の温もりと木の香りとその殺菌性で衛生的なテーブルマットの平板木製の食卓用具で、汚れを簡単にふき取ることもできることが期待されている。木製で木の香りをもって、衛生的なＵＶ印刷されて、装飾性木製平滑平板盤における木製テーブルマットの食事用具などを提供することを目的としたものである。【００１３】本考案では斯かる問題点を是正し、装飾性である絵柄・図柄付き木製平滑平板盤である木製テーブルマット、及び装飾板として気品を充分に保ち、または飾り物として室内の装飾品として利用して、後利用を有効に活用出来る絵柄・図柄付き木製テーブルマット及び装飾板を提供することを目的とする。日本古来の絵柄、又は祝い様相の絵柄における精巧な図柄によって、平板の表面が重臣感をもった製品になった。化粧板の化粧面はＵＶ印刷���より作り出されるので、特殊デザインが異なる多種多様表面の化粧板な木製テーブルマット、及び装飾板として装飾性木製平滑平板盤を提供することを課題としている。
【課題を解決するための手段】
【００１４】木製平板に装飾された平滑平板盤において、針葉樹林であるエゾマツ材、モミ材、ヒノキ材、スギ材、マツ材、から選ばれた厚さ１〜３０ｍｍの木製の特性ある木目を持つ平板を縦横１００〜５００ｍｍの長方形、正方形、半月形にして、前記平板の片面に、ＵＶ印刷された日本古来の絵柄、又は祝い様相の精巧で、緻密な絵柄、或は図柄、或いはプリント写真、或は文体を施しているＵＶ印刷を施した精巧な模様表面を持つ木製平滑平板盤である。【００１５】装飾性木製平滑平板盤は、厚さ１〜３０ｍｍの木製平板を幅１００〜５００ｍｍ、長さ１００〜５００ｍｍの平板状の、長方形、又は正方形、又は半月形である半円形、或いは台形から選ばれた形状であって、前記木目を有する形状の平板片面の２０〜１００％の面積に所望される緻密なＵＶ印刷された絵柄、図柄を施しされている。【００１６】２０〜１００％の面積にＵＶ印刷を施した平板片面に対して、ＵＶ印刷された日本古来の絵柄、又は祝い様相の精巧で、緻密な絵柄、或は図柄、或いはプリント写真、或は文体を描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄  から選ばれた１種、又は２種以上の絵柄・図柄、及び写真を表面に施されている。
木製平板に装飾された平滑平板盤は、食卓用具としてのテーブルマット、及び壁掛け並びに記念品用、贈答用装飾板である。
【考案の効果】
【００１７】木製テーブルマット、及び装飾板である装飾性木製平滑平板盤で日本古来の絵柄、又は祝い様相の絵柄における精巧な図柄を描いているＵＶ印刷を施した化粧平板は、日本古来の絵柄、又は祝い様相の絵柄における精巧な図柄によって、テーブルマット及び装飾板である装飾性木製平滑平板盤自体が重臣感をもった製品になった。しかも、平板にＵＶ印刷により作り出されるので、特殊デザインが異なる多種多様表面の化粧板な重箱を造作もなく製造できる効果がある。ＵＶ印刷は、油性インキに比べて摩擦などの耐性にも優れおり、インキが材質に染み込んでいかないために、インキの吸収性の高い木質材料には流動性に気を配るなど必要はない。また速乾性のためにインキを乾燥させるためにすぐに次の工程に回せ、種々の色合いの印刷が可能である。【００１８】更に、平板の片面においては連続均一表面状態になっている木製テーブルマット及び装飾板である装飾性木製平滑平板盤に装飾面を構成する木製箱体の形成部材に精巧なＵＶ印刷を用い、針葉樹であるエゾマツ材、モミ材、ヒノキ材、スギ材、マツ材等の木製箱体の表面に刻印された木製箱体の形成部材にはものであり、木製薄板箸袋本体を特殊材料にて成形することによって、箸袋、テーブルマットともに、清潔に箸を被装することができる衛生的な樹脂フイルム被覆木製シートを提供できるといった効果を奏する。また、本考案の木製テーブルマット及び装飾板である装飾性木製平滑平板盤は、材料として安価な間伐材、廃材を使用できて、大量生産に適し、価格も低廉なものとして需要者に供給できる。
【図面の簡単な説明】
【００１９】
【図１】ＵＶ印刷を施した精巧な模様表面を持つ木製テーブルマット及び装飾板である装飾性木製平滑平板盤の斜視図
【図２】ＵＶ印刷を施した精巧な模様表面を持つ装飾性木製平滑平板盤における絵柄・図柄の図  Ａ：風神雷神  Ｂ：浮世絵  Ｃ：日の出鶴
【図３】ＵＶ印刷を施した精巧な模様表面を持つ半月型、長方型の装飾性木製平滑平板盤の斜視図  Ａ：半円型  Ｂ：正方型
【考案を実施するための形態】
【００２０】以下、本考案の実施形態について図面に基づいて説明する。図１は、ＵＶ印刷を施した精巧な模様表面を持つ装飾性木製平滑平板盤の斜視図、図２は、ＵＶ印刷を施した精巧な模様表面を持つ装飾性木製平滑平板盤の図、図３は、ＵＶ印刷を施した精巧な模様表面を持つ装飾性木製平滑平板盤における異なる形状の図である。
【実施例１】
【００２１】図１に示すように木製薄板で加工された食事用具としてテーブルマットにおいて、針葉樹林である杉材の厚さ８ｍｍの木製の平板を縦２６０ｍｍ横３８０ｍｍの長方形にして、前記平板の片面に、ＵＶ印刷された絵柄を施しているＵＶ印刷を施した精巧な模様表面を持つ木製テーブルマットにした。【００２２】食事用具のテーブルマットは、厚さ１０ｍｍの木製平板を幅として縦横３００ｍｍ、長さ３００ｍｍの平板状の正方形の形状であって、平板片面の約３０％の面積に季節の草花模様のＵＶ印刷を施した。【００２３】３０％の季節の草花模様のＵＶ印刷を施した精巧な模様表面を持つ木製テーブルマットになった。食卓で季節感が感じられて、気分的にも爽快になった。そのために食欲も増した。
【実施例２】
【００２４】木製薄板で加工された食事用具としてテーブルマットにおいて、針葉樹林であるモミ材の厚さ１０ｍｍの木製の平板を縦３００ｍｍ、横５００ｍｍの長方形、にして、前記平板の片面に、図２ＢのＵＶ印刷された浮世絵の緻密な絵柄を施した。【００２５】食事用具のテーブルマットは、厚さ１０ｍｍの木製平板を縦３００ｍｍ、横５００ｍｍの平板状の長方形の形状であって、平板片面の５０％の面積にＵＶ印刷を施した。【００２６】５０％の面積にＵＶ印刷を施した平板片面に対して、ＵＶ印刷された浮世絵であって、浮世絵の絵柄のＵＶ印刷を施した精巧な模様表面を持つ木製テーブルマットになった。それによって想像力も増して食事中食欲を進んた
【実施例３】
【００２７】木製薄板で加工された食事用具としてテーブルマットにおいて、針葉樹林であるエゾマツ材の厚さ５ｍｍの木製の平板を幅４００ｍｍの半月形にして、前記平板の片面に、図２ＣのＵＶ印刷された松、鶴の絵柄を施しているＵＶ印刷を施した精巧な模様表面を持つ木製テーブルマットにした。【００２８】食事用具のテーブルマットは、厚さ５ｍｍの木製平板を幅５００ｍｍ、長さ半径２００ｍｍの平板状の半月形であって、前記形状の一端に平板片面の４０％の面積にＵＶ印刷を施した。【００２９】４０％の面積にＵＶ印刷を施した平板片面に対して、ＵＶ印刷された季節の草花の絵柄の精巧な表面に施した、ＵＶ印刷を施した精巧な模様表面を持つ木製テーブルマットになった。食卓で季節感が感じられ、食欲も増した。
【実施例４】
【００３０】図１に示すように木製薄板で加工された壁掛け用装飾板において、針葉樹林である杉材の厚さ８ｍｍの木製の平板を縦２６０ｍｍ横３８０ｍｍの長方形にして、前記平板の片面に、ＵＶ印刷された絵柄を施しているＵＶ印刷を施した精巧な模様表面を持つ装飾性木製平滑平板盤にした。【００３１】装飾性木製平滑平板盤は、厚さ７ｍｍの木製平板を幅として縦横４００ｍｍ、長さ５００ｍｍの平板状の正方形の形状であって、平板片面の約５０％の面積に季節の草花模様のＵＶ印刷を施した。【００３２】３０％の季節の草花模様のＵＶ印刷を施した精巧な模様表面を持つ壁掛け用装飾板になった。食卓で季節感が感じられて、気分的にも爽快になった。そのために食欲も増した。
【符号の説明】
【００３３】１．テーブルマット
２．平滑平板
３．木目
４．図柄、絵柄
５．ＵＶ印刷
６．装飾性木製平滑平板盤
７．壁掛け装飾板
【図１】
0003209865.tif 000003
【図２】
0003209865.tif 000004
【図３】
0003209865.tif 000005